(57)【要約】【課題】プロジェクタにおいて、経年に関わらず色ムラの発生を効果的に抑制する。【解決手段】プロジェクタは、画像信号に基づき画像を表示する画像表示部と、表示画像における位置に応じた色のばらつきを抑制するために所定の補正値を用いて画像信号を補正する色ムラ補正部と、表示画像を撮像した撮像画像を取得する撮像画像取得部と、撮像画像に基づき色ムラ補正に用いられる補正値を調整する補正値調整部と、を備える。【選択図】図１
2009139471.tif 000002
【特許請求の範囲】
【請求項１】
プロジェクタであって、
画像信号に基づき画像を表示する画像表示部と、
表示された画像における位置に応じた色のばらつきを抑制するために、所定の補正値を用いて前記画像信号を補正する色ムラ補正を行う色ムラ補正部と、
表示された画像を撮像した撮像画像を取得する撮像画像取得部と、
前記撮像画像に基づき、前記色ムラ補正に用いられる前記補正値を調整する補正値調整部と、を備える、プロジェクタ。
【請求項２】
請求項１に記載のプロジェクタであって、
前記色ムラ補正部は、表示画像における複数の位置に対応した前記補正値を定める補正情報を有し、
前記補正値調整部は、
前記撮像画像を解析することにより、前記表示画像の前記複数の位置における色を決定する画像解析部と、
前記画像信号と前記解析の結果とに基づき、適正な前記補正値を決定する補正値決定部と、を含む、プロジェクタ。
【請求項３】
請求項１または請求項２に記載のプロジェクタであって、
前記画像表示部は、複数の画素を有すると共に交流駆動される液晶パネルを含み、
前記プロジェクタは、さらに、
前記液晶パネルの各画素の電極間に印加される電圧の平均がゼロに近づくように、所定の補正値を用いて前記色ムラ補正後の画像信号を補正する焼き付き抑制補正を行う焼き付き抑制補正部を備え、
前記補正値調整部は、前記撮像画像に基づき、前記焼き付き抑制補正に用いられる前記補正値を調整する、プロジェクタ。
【請求項４】
請求項１ないし請求項３のいずれかに記載のプロジェクタであって、
前記補正値調整部は、前記画像信号として、所定のパターン画像を表示するためのパターン信号を前記画像表示部に供給するパターン信号出力部を含み、
前記撮像画像取得部は、前記撮像画像として、前記パターン信号に基づき表示された前記パターン画像を撮像した画像を取得する、プロジェクタ。
【請求項５】
請求項１ないし請求項４のいずれかに記載のプロジェクタであって、
前記撮像画像取得部は、前記表示画像を撮像して前記撮像画像を生成する撮像部を含む、プロジェクタ。
【請求項６】
プロジェクタであって、
複数の画素を有すると共に交流駆動される液晶パネルを含み、画像信号に基づき画像を表示する画像表示部と、
前記液晶パネルの各画素の電極間に印加される電圧の平均がゼロに近づくように、所定の補正値を用いて前記画像信号を補正する焼き付き抑制補正を行う焼き付き抑制補正部と、
表示された画像を撮像した撮像画像を取得する撮像画像取得部と、
前記撮像画像に基づき、前記焼き付き抑制補正に用いられる前記補正値を調整する補正値調整部と、を備える、プロジェクタ。
【請求項７】
プロジェクタの制御方法であって、
（ａ）画像信号に基づき画像を表示する工程と、
（ｂ）表示された画像における位置に応じた色のばらつきを抑制するために、所定の補正値を用いて前記画像信号を補正する色ムラ補正を行う工程と、
（ｃ）表示された画像を撮像した撮像画像を取得する工程と、
（ｄ）前記撮像画像に基づき、前記色ムラ補正に用いられる前記補正値を調整する工程と、を備える、プロジェクタの制御方法。
【請求項８】
プロジェクタの制御方法であって、
（ｅ）複数の画素を有すると共に交流駆動される液晶パネルを用いて、画像信号に基づき画像を表示する工程と、
（ｆ）前記液晶パネルの各画素の電極間に印加される電圧の平均がゼロに近づくように、所定の補正値を用いて前記画像信号を補正する焼き付き抑制補正を行う工程と、
（ｇ）表示された画像を撮像した撮像画像を取得する工程と、
（ｈ）前記撮像画像に基づき、前記焼き付き抑制補正に用いられる前記補正値を調整する工程と、を備える、プロジェクタの制御方法。
【発明の詳細な説明】
【技術分野】
【０００１】
本発明は、プロジェクタおよびプロジェクタの制御方法に関する。
【背景技術】
【０００２】
液晶パネルやＤＭＤ（テキサス・インスツルメンツ社の商標）等の表示デバイスを用いて画像を表示するプロジェクタが広く使用されている。プロジェクタによる画像表示の際には、表示デバイスを構成する各画素の特性のばらつきや照明光の輝度分布や色分布のばらつき等を原因として、表示画像に色ムラが発生する場合がある。ここで、色ムラとは、同一の色を表す信号に基づき表示される画像の色が、表示画像上の位置により異なる（差が存在する）ことを意味する。
【０００３】
また、液晶パネルを用いるプロジェクタでは、液晶パネルに長時間直流電圧が印加されることにより、いわゆる焼き付きが発生する場合がある。
【０００４】
プロジェクタによる画像表示の際の色ムラの発生を抑制するために画像信号を調整する色ムラ補正の技術や、焼き付きの発生を抑制するための焼き付き抑制補正の技術が開示されている（例えば特許文献１および２）。
【０００５】
【特許文献１】特開２００１−８２１９号公報
【特許文献２】特開２００４−１３３１７７号公報
【発明の開示】
【発明が解決しようとする課題】
【０００６】
プロジェクタの各部の特性は経年により変化しうるため、色ムラや焼き付きの発生の態様も経年により変化しうる。そのため、上記色ムラ補正技術や焼き付き抑制補正技術を採用したプロジェクタであっても、経年により、好ましい補正結果が得られなくなる場合があった。
【０００７】
本発明は、上述した従来の課題の少なくとも一部を解決するためになされたものであり、プロジェクタにおいて、経年に関わらず、色ムラや焼き付きの発生を効果的に抑制することを可能とする技術を提供することを目的とする。
【課題を解決するための手段】
【０００８】
上記課題の少なくとも一部を解決するために、本発明は、以下の形態または適用例として実現することが可能である。
【０００９】
［適用例１］プロジェクタであって、
画像信号に基づき画像を表示する画像表示部と、
表示された画像における位置に応じた色のばらつきを抑制するために、所定の補正値を用いて前記画像信号を補正する色ムラ補正を行う色ムラ補正部と、
表示された画像を撮像した撮像画像を取得する撮像画像取得部と、
前記撮像画像に基づき、前記色ムラ補正に用いられる前記補正値を調整する補正値調整部と、を備える、プロジェクタ。
【００１０】
このプロジェクタでは、色ムラ補正に用いられる補正値が、表示画像を撮像した撮像画像に基づき調整可能であるため、経年に関わらず色ムラの発生を効果的に抑制することができる。
【００１１】
［適用例２］適用例１に記載のプロジェクタであって、
前記色ムラ補正部は、表示画像における複数の位置に対応した前記補正値を定める補正情報を有し、
前記補正値調整部は、
前記撮像画像を解析することにより、前記表示画像の前記複数の位置における色を決定する画像解析部と、
前記画像信号と前記解析の結果とに基づき、適正な前記補正値を決定する補正値決定部と、を含む、プロジェクタ。
【００１２】
このプロジェクタでは、撮像画像の解析により表示画像の複数の位置における色が決定され、決定された色に基づき色ムラ補正に用いられる適正な補正値が決定されるため、色ムラ補正に用いられる補正値を適正な値に調整することができ、経年に関わらず色ムラの発生を効果的に抑制することができる。
【００１３】
［適用例３］適用例１または適用例２に記載のプロジェクタであって、
前記画像表示部は、複数の画素を有すると共に交流駆動される液晶パネルを含み、
前記プロジェクタは、さらに、
前記液晶パネルの各画素の電極間に印加される電圧の平均がゼロに近づくように、所定の補正値を用いて前記色ムラ補正後の画像信号を補正する焼き付き抑制補正を行う焼き付き抑制補正部を備え、
前記補正値調整部は、前記撮像画像に基づき、前記焼き付き抑制補正に用いられる前記補正値を調整する、プロジェクタ。
【００１４】
このプロジェクタでは、さらに、焼き付き抑制補正に用いられる補正値が撮像画像に基づき調整可能であるため、経年に関わらず焼き付きの発生を効果的に抑制することができる。
【００１５】
［適用例４］適用例１ないし適用例３のいずれかに記載のプロジェクタであって、
前記補正値調整部は、前記画像信号として、所定のパターン画像を表示するためのパターン信号を前記画像表示部に供給するパターン信号出力部を含み、
前記撮像画像取得部は、前記撮像画像として、前記パターン信号に基づき表示された前記パターン画像を撮像した画像を取得する、プロジェクタ。
【００１６】
このプロジェクタでは、所定のパターン画像を撮像した撮像画像に基づき補正値を調整可能であるため、適切なパターン画像を選択することにより、適切に補正値を調整することができる。
【００１７】
［適用例５］適用例１ないし適用例４のいずれかに記載のプロジェクタであって、
前記撮像画像取得部は、前記表示画像を撮像して前記撮像画像を生成する撮像部を含む、プロジェクタ。
【００１８】
このプロジェクタでは、表示画像を撮像して撮像画像を生成し、生成された撮像画像に基づき、色ムラ補正や焼き付き抑制補正に用いられる補正値を調整することができる。
【００１９】
［適用例６］プロジェクタであって、
複数の画素を有すると共に交流駆動される液晶パネルを含み、画像信号に基づき画像を表示する画像表示部と、
前記液晶パネルの各画素の電極間に印加される電圧の平均がゼロに近づくように、所定の補正値を用いて前記画像信号を補正する焼き付き抑制補正を行う焼き付き抑制補正部と、
表示された画像を撮像した撮像画像を取得する撮像画像取得部と、
前記撮像画像に基づき、前記焼き付き抑制補正に用いられる前記補正値を調整する補正値調整部と、を備える、プロジェクタ。
【００２０】
このプロジェクタでは、焼き付き抑制補正に用いられる補正値が撮像画像に基づき調整可能であるため、経年に関わらず焼き付きの発生を効果的に抑制することができる。
【００２１】
なお、本発明は、種々の態様で実現することが可能であり、例えば、プロジェクタおよびその制御方法、画像表示装置および方法、画像補正装置および方法、画像補正値調整装置および方法、これらの装置または方法の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２２】
次に、本発明の実施の形態を実施例に基づいて以下の順序で説明する。
Ａ．実施例：
Ｂ．変形例：
【００２３】
Ａ．実施例：
図１は、本発明の実施例におけるプロジェクタ１００の構成を概略的に示す説明図である。プロジェクタ１００は、画像信号に基づき画像を表す画像光を投写して、スクリーンＳＣなどの投写面上に画像を表示する画像表示装置である。プロジェクタ１００は、画像信号入力部１１０と、表示処理部１２０と、液晶パネル１６４と、光源ユニット１６２と、投写光学系１６６と、撮像部１７０と、ユーザ指示入力部１８０と、を備えている。
【００２４】
なお、プロジェクタ１００の各構成要素の機能は、プロジェクタ１００の有するＣＰＵ（図示せず）が所定のコンピュータプログラムを実行することにより実現される。あるいは、プロジェクタ１００の各構成要素は、専用のデバイスや回路等のハードウェアにより構成される。
【００２５】
画像信号入力部１１０は、画像信号を供給するパーソナルコンピュータＰＣからコンポジット信号やＳビデオ信号、コンポーネント信号などの画像信号（映像信号）を入力し、表示処理部１２０で処理可能な信号に変換する処理（例えばＡ／Ｄ変換やＩ／Ｐ変換）を行う。
【００２６】
表示処理部１２０は、画像信号入力部１１０から画像信号ＶＳを受領して、画像信号ＶＳに基づき種々の処理を実行する。例えば、表示処理部１２０は、画像の調整（輝度調整、コントラスト調整、シャープネス調整等）や、解像度変換、フレームレート変換、後述の色ムラ補正、焼き付き抑制補正等を行う。表示処理部１２０は、液晶パネル１６４に、液晶パネル１６４の各画素を駆動するための駆動電圧（画素電極電圧Ｖｏおよび対向電極電圧Ｖｃｏｍ）を供給する。
【００２７】
液晶パネル１６４は、複数の画素を有し、表示処理部１２０から供給される駆動電圧に基づき各画素を駆動する。液晶パネル１６４の各画素の画素電極には、各画素に対応した画素電極電圧Ｖｏが供給され、すべての画素の対向電極には、共通の対向電極電圧Ｖｃｏｍが供給される。液晶パネル１６４は、各画素の画素電極電圧Ｖｏと対向電極電圧Ｖｃｏｍとの電位差に応じて液晶を動作させることにより、光源ユニット１６２から照射された照明光を画像を表す画像光へと変調するためのパネル画像をパネル面に形成する。投写光学系１６６は、液晶パネル１６４により画像光へと変調された光をスクリーンＳＣに向けて投写する。液晶パネル１６４と光源ユニット１６２とは、本発明における画像表示部に相当する。
【００２８】
撮像部１７０は、ＣＣＤやＣＭＯＳ等の撮像素子を有し、スクリーンＳＣに表示された画像（表示画像）を撮像して撮像画像ＣＩを生成する。撮像部１７０は、本発明における撮像画像取得部に相当する。ユーザ指示入力部１８０は、リモコンＲＣを通じたユーザからの指示を入力し、表示処理部１２０等にその指示を伝える。なお、ユーザ指示入力部１８０は、リモコンＲＣ以外の他のユーザ指示手段（例えば操作パネル）を通じてユーザからの指示を入力するとしてもよい。
【００２９】
表示処理部１２０は、信号選択部１２２と、色ムラ補正部１３０と、焼き付き抑制補正部１４０と、ＤＡ変換部１２４と、対向電極電圧出力部１２６と、補正値調整部１５０と、を含んでいる。対向電極電圧出力部１２６は、液晶パネル１６４の各画素に共通して供給される対向電極電圧Ｖｃｏｍを出力する。
【００３０】
信号選択部１２２は、画像信号入力部１１０から画像信号ＶＳを受領すると共に、補正値調整部１５０のパターン信号出力部１５２から出力されるパターン信号ＰＳを受領し、補正値調整部１５０による切り替え指示に従い、画像信号ＶＳとパターン信号ＰＳとのいずれか一方を色ムラ補正部１３０に向けて出力する。なお、初期状態においては、信号選択部１２２は、画像信号ＶＳを出力するように設定されている。また、画像信号ＶＳおよびパターン信号ＰＳは、垂直・水平同期信号やクロック信号を含むタイミング信号と、各画素の色を表す色信号と、を含んでいる。
【００３１】
色ムラ補正部１３０は、色ムラ補正情報ＣＣＩに従い、画像信号ＶＳまたはパターン信号ＰＳに対して色ムラ補正を行う。色ムラ補正は、表示された画像における位置に応じた色のばらつきを抑制するために、所定の補正値を用いて画像信号を補正する処理である。すなわち、表示画像の複数の位置において、同一の色を表す信号に基づき表示される色の差が小さくなるように信号を補正する処理である。
【００３２】
図２は、色ムラ補正部１３０の構成を概略的に示す説明図である。色ムラ補正部１３０は、画素位置決定部１３２と、補正値選択部１３４と、色ムラ補正実行部１３６と、を含んでいる。また、色ムラ補正情報ＣＣＩには、液晶パネル１６４における画素位置と、色ムラ補正に用いられる補正値と、が対応付けて定められている。色ムラ補正情報ＣＣＩには、スクリーンＳＣに表示される表示画像における各位置に対応した信号毎に、色ムラ補正に用いられる補正値が定められているとも表現できる。
【００３３】
画素位置決定部１３２は、画像信号ＶＳまたはパターン信号ＰＳに含まれるタイミング信号に基づき、液晶パネル１６４における画素位置を決定する。補正値選択部１３４は、色ムラ補正情報ＣＣＩを参照して、決定された画素位置に対応付けられた補正値を選択する。色ムラ補正実行部１３６は、選択された補正値を用いて画像信号ＶＳまたはパターン信号ＰＳに対する色ムラ補正を実行する。なお、色ムラ補正部１３０による色ムラ補正後の画像信号ＶＳを画像信号ｃＶＳと表す。また、色ムラ補正部１３０による色ムラ補正後のパターン信号ＰＳをパターン信号ｃＰＳと表す。色ムラ補正後の画像信号ｃＶＳまたはパターン信号ｃＰＳは、焼き付き抑制補正部１４０に向けて出力される。
【００３４】
なお、色ムラ補正の詳細は、例えば、特開２００１−８２１９号公報に記載されているため、本明細書ではその記載は省略する。
【００３５】
焼き付き抑制補正部１４０は、焼き付き補正情報ＢＣＩに従い、色ムラ補正後の画像信号ｃＶＳまたはパターン信号ｃＰＳに対して焼き付き抑制補正を行う。焼き付き抑制補正は、液晶パネル１６４の各画素の画素電極と対向電極との間の電圧の平均をゼロに近づけることにより焼き付きの発生が抑制されるように、画像信号を調整する処理である。
【００３６】
図３は、焼き付き抑制補正部１４０の構成を概略的に示す説明図である。焼き付き抑制補正部１４０は、階調レベルに応じた焼き付き抑制補正を行う階調補正部と、液晶パネル１６４における画素の位置に応じた焼き付き抑制補正を行う面内補正部と、を含んでいる。具体的には、焼き付き抑制補正部１４０は、階調補正部として、階調レベル決定部１４１と、補正値選択部１４２と、階調補正実行部１４３と、を含み、面内補正部として、画素位置決定部１４５と、補正値選択部１４６と、面内補正実行部１４７と、を含んでいる。また、焼き付き補正情報ＢＣＩは、階調補正に用いられる階調補正情報ＢＣＩａと、面内補正に用いられる面内補正情報ＢＣＩｂと、を含んでいる。階調補正情報ＢＣＩａには、画像信号ｃＶＳまたはパターン信号ｃＰＳの階調レベルと、階調補正に用いられる補正値と、が対応付けて定められている。面内補正情報ＢＣＩｂには、液晶パネル１６４における画素の位置と、面内補正に用いられる補正値と、が対応付けて定められている。面内補正情報ＢＣＩｂには、スクリーンＳＣに表示される表示画像における各位置に対応した信号毎に、面内補正に用いられる補正値が定められているとも表現できる。
【００３７】
階調レベル決定部１４１は、画像信号ｃＶＳまたはパターン信号ｃＰＳの階調レベルを決定する。補正値選択部１４２は、階調補正情報ＢＣＩａを参照して、決定された階調レベルに対応付けられた補正値を選択する。階調補正実行部１４３は、選択された補正値を用いて焼き付き抑制補正（階調補正）を実行する。また、画素位置決定部１４５は、画像信号ｃＶＳまたはパターン信号ｃＰＳに含まれるタイミング信号に基づき、液晶パネル１６４における画素位置を決定する。補正値選択部１４６は、面内補正情報ＢＣＩｂを参照して、決定された画素位置に対応付けられた補正値を選択する。面内補正実行部１４７は、選択された補正値を用いて焼き付き抑制補正（面内補正）を実行する。なお、焼き付き抑制補正部１４０による焼き付き抑制補正後の画像信号ＶＳを画像信号ｂＶＳと表す。また、焼き付き抑制補正部１４０による焼き付き抑制補正後のパターン信号ＰＳをパターン信号ｂＰＳと表す。焼き付き抑制補正後の画像信号ｂＶＳまたはパターン信号ｂＰＳは、ＤＡ変換部１２４に向けて出力される。
【００３８】
なお、焼き付き抑制補正の詳細は、例えば、特開２００４−１３３１７７号公報に記載されているため、本明細書ではその記載は省略する。
【００３９】
ＤＡ変換部１２４は、デジタル信号である画像信号ｂＶＳまたはパターン信号ｂＰＳをアナログ信号に変換すると共に、液晶パネル１６４を交流駆動させるために、極性指定信号が示す極性に応じて所定の期間毎に極性反転させる。ＤＡ変換部１２４は、変換後の信号を画素電極電圧Ｖｏとして液晶パネル１６４に向けて出力する。ここで、交流駆動とは、液晶パネル１６４の各画素の画素電極に印加される画素電極電圧を、対向電極に印加される対向電極電圧に対して、所定の周期で極性反転させる駆動方法である。
【００４０】
補正値調整部１５０は、パターン信号出力部１５２と、画像解析部１５４と、補正値決定部１５６と、を含んでいる。パターン信号出力部１５２は、所定のパターン画像を表示するためのパターン信号ＰＳを信号選択部１２２に向けて出力する。
【００４１】
画像解析部１５４は、撮像部１７０により生成された撮像画像ＣＩを取得して解析することにより、表示画像の各位置における色の測定およびフリッカの測定を行う。補正値決定部１５６は、画像解析部１５４による解析結果に基づいて、色ムラ補正に用いられる補正値（図２参照）や焼き付き抑制補正に用いられる補正値（図３参照）の適正値を決定する。
【００４２】
図４は、本実施例における補正値調整処理の流れを示すフローチャートである。ここで、補正値調整処理は、色ムラ補正に用いられる補正値（図２参照）や焼き付き抑制補正に用いられる補正値（図３参照）を、補正結果がより好ましくなるように調整する処理である。補正値調整処理は、所定時間経過毎に自動的に実行されるとしてもよいし、ユーザによる指示に応じて実行されるとしてもよい。本実施例では、補正値調整処理は、まず色ムラ補正に関する補正値調整処理が実行され、その後、焼き付き抑制補正に関する補正値調整処理が実行されるものとしている。図４には、色ムラ補正に関する補正値調整処理の流れを示している。
【００４３】
ステップＳ１１０（図４）では、補正値調整部１５０（図１）が、信号選択部１２２に対して、画像信号ＶＳに代えてパターン信号ＰＳを出力するように、信号切り替え指示を行う。これにより、信号選択部１２２は、画像信号ＶＳではなくパターン信号ＰＳを出力するように設定される。
【００４４】
ステップＳ１２０（図４）では、パターン信号ＰＳに基づきパターン画像の表示が行われる。本実施例において、色ムラ補正に関する補正値調整処理に用いられるパターン画像は、一様な白色画像であるものとする。パターン信号出力部１５２は、このようなパターン画像を表すパターン信号ＰＳを信号選択部１２２に向けて出力する。パターン信号ＰＳは、信号選択部１２２を介して色ムラ補正部１３０に入力され、色ムラ補正の対象となり、さらに、焼き付き抑制補正部１４０に入力されて焼き付き抑制補正の対象となる。補正後のパターン信号ＰＳ（ｂＰＳ）は、ＤＡ変換部１２４を介して、画素電極電圧Ｖｏとして液晶パネル１６４に供給される。これにより、パターン画像がスクリーンＳＣ上に表示される。
【００４５】
ステップＳ１３０（図４）では、撮像部１７０（図１）が、スクリーンＳＣ上に表示されたパターン画像を撮像し、撮像画像ＣＩを生成する。
【００４６】
ステップＳ１４０（図４）では、画像解析部１５４（図１）が、撮像画像ＣＩを取得して解析し、表示画像の各位置における色の測定を行う。ここで、表示画像の各位置とは、撮像部１７０の解像度に応じて予め設定され、液晶パネル１６４の各画素に対応した画像の位置であってもよいし、複数の画素に対応した画像領域中の所定の点であってもよい。
【００４７】
ステップＳ１５０（図４）では、補正値決定部１５６（図１）が、色の測定結果に基づき適正な補正値を決定する。具体的には、補正値決定部１５６は、画像解析部１５４により測定された表示画像の各位置における色がパターン信号出力部１５２から出力されたパターン信号ＰＳの表す色に一致するような補正値を、色ムラ補正の適正な補正値として算出する。
【００４８】
ステップＳ１６０（図４）では、補正値調整部１５０（図１）が、色ムラ補正部１３０の有する色ムラ補正情報ＣＣＩに定められた補正値を、ステップＳ１５０で決定された適正補正値に更新する。これにより、色ムラ補正情報ＣＣＩに定められた補正値が、色ムラ補正の結果がより好ましくなるような値に調整される。
【００４９】
図５は、本実施例における補正値調整処理の流れを示すフローチャートである。図５には、焼き付き抑制補正に関する補正値調整処理の流れを示している。焼き付き抑制補正に関する補正値調整処理では、補正値を僅かずつ変更しつつ表示画像の撮像・解析を繰り返すことにより適正補正値を決定する点が、図４に示した色ムラ補正に関する補正値調整処理と異なっている。また、本実施例の焼き付き抑制補正では、階調補正と面内補正とが実行されるため（図３参照）、階調補正に関する補正値調整処理と面内補正に関する補正値調整処理が実行される。さらに、階調補正に関する補正値調整処理では、階調レベル毎に定められた補正値を調整するために、複数の階調レベルに対応した無彩色画像がパターン画像として用いられる。面内補正に関する補正値調整処理では、一様な白色画像がパターン画像として用いられる。
【００５０】
図５のステップＳ１１０からＳ１４０までの処理内容は、図４に示した色ムラ補正に関する補正値調整処理の対応するステップの処理内容と同じである。ただし、撮像画像ＣＩの解析（ステップＳ１４０）では、表示画像のフリッカの測定が行われる。
【００５１】
表示画像の撮像（ステップＳ１３０）および撮像画像ＣＩの解析（ステップＳ１４０）が１回目である場合には（ステップＳ１４２：Ｙｅｓ）、撮像画像ＣＩの解析の後、補正値調整部１５０（図１）が焼き付き抑制補正に用いる補正値を変更する（ステップＳ１４４）。補正値の変更は、予め設定された補正値の最小単位分だけ行われる。補正値が変更されると、スクリーンＳＣ上の表示画像は、変更後の補正値を用いた焼き付き抑制補正後の画像信号に基づいた画像となる。
【００５２】
補正値の変更後、再度、表示画像の撮像（ステップＳ１３０）および撮像画像ＣＩの解析（ステップＳ１４０）が行われる。これらの処理が２回目以降である場合には（ステップＳ１４２：Ｎｏ）、補正値調整部１５０（図１）が、補正値の変更範囲として予め設定された範囲の全体にわたって補正値を変更したか否かを判定する（ステップＳ１４６）。本実施例では、ステップＳ１４４における補正値の変更量の範囲（変更幅）が予め設定されている。補正値をさらに最小単位分だけ変更しても変更量の範囲を超えない場合には（ステップＳ１４６：Ｎｏ）、補正値が変更され（ステップＳ１４４）、再度、表示画像の撮像（ステップＳ１３０）および撮像画像ＣＩの解析（ステップＳ１４０）が行われる。
【００５３】
補正値の変更量の範囲の全体にわたって補正値の変更が完了した場合には（ステップＳ１４６：Ｙｅｓ）、補正値決定部１５６（図１）が、フリッカが最小であったときの補正値を適正補正値として決定する（ステップＳ１５０）。これは、フリッカが最小であるときに、液晶パネル１６４の画素の画素電極と対向電極との間の電圧の平均が最もゼロに近づき、焼き付きの発生が最も効果的に抑制されると考えられるからである。階調補正に関する補正値調整処理では、階調レベル毎に、表示画像全体のフリッカが最小であったときの補正値が適正補正値とされる。また、面内補正に関する補正値調整処理では、画素位置毎に、各画素の位置に対応した表示画像の各位置におけるフリッカが最小であったときの補正値が適正補正値とされる。
【００５４】
補正値調整部１５０（図１）は、焼き付き抑制補正部１４０の有する焼き付き補正情報ＢＣＩに定められた補正値を、ステップＳ１５０で決定された適正補正値に更新する。これにより、焼き付き補正情報ＢＣＩに定められた補正値が、焼き付き抑制補正の結果がより好ましくなるような値に調整される。
【００５５】
以上説明したように、本実施例のプロジェクタ１００では、色ムラ補正や焼き付き抑制補正に用いられる補正値を、補正結果がより好ましくなるように調整する補正値調整処理を実行可能である。そのため、本実施例のプロジェクタ１００では、経年に関わらず、色ムラの発生や焼き付きの発生を効果的に抑制することができる。
【００５６】
Ｂ．変形例：
なお、この発明は上記の実施例や実施形態に限られるものではなく、その要旨を逸脱しない範囲において種々の態様において実施することが可能であり、例えば次のような変形も可能である。
【００５７】
Ｂ１．変形例１：
上記実施例では、プロジェクタ１００が、色ムラ補正部１３０と焼き付き抑制補正部１４０との両方を有するとしているが、プロジェクタ１００は、色ムラ補正部１３０と焼き付き抑制補正部１４０とのいずれか一方のみを有するとしてもよい。また、プロジェクタ１００は、色ムラ補正に関する補正値調整処理と焼き付き抑制補正に関する補正値調整処理とのいずれか一方のみを実行可能であるとしてもよい。また、プロジェクタ１００における色ムラ補正と焼き付き抑制補正との実行順序は、上記実施例とは逆であってもよい。
【００５８】
Ｂ２．変形例２：
上記実施例における補正値調整処理に用いられるパターン画像は、あくまで一例であり、他のパターン画像が用いられるとしてもよい。また、上記実施例において、色ムラ補正情報ＣＣＩ（図２）や面内補正情報ＢＣＩｂ（図３）は、個々の画素位置毎に補正値を定めるものであってもよいし、複数の画素グループの毎に補正値を定めるものであってもよい。また、上記実施例では、プロジェクタ１００が撮像部１７０を備えるとしているが、プロジェクタ１００は撮像部１７０を備えなくてもよい。この場合には、プロジェクタ１００は、撮像装置により生成された撮像画像ＣＩを取得すればよい。
【００５９】
Ｂ３．変形例３：
上記実施例における補正値調整処理（図４および図５）の処理の流れは、あくまで一例であり、種々変形可能である。例えば、図５に示した補正値調整処理において、補正値を増加させる方向と減少させる方向との両方向について、補正値を変更（ステップＳ１４４）した後にフリッカが増加したか減少したかを判定することにより、最適な補正値を決定するとしてもよい。
【００６０】
Ｂ４．変形例４：
本発明は、液晶パネル１６４を用いたプロジェクタ１００に限らず、他の画像表示デバイス（例えばＤＭＤ（テキサス・インスツルメンツ社の商標））を用いたプロジェクタにも適用可能である。また、液晶パネル１６４は、１つのパネルのみを含む単板式パネルであってもよいし、複数の色成分（例えば赤成分、緑成分、青成分の３つの色成分）に対応した複数のパネルを有する複数板式のパネルであってもよい。また、プロジェクタ１００への画像信号の入力元は、パーソナルコンピュータＰＣに限らず、ＤＶＤプレーヤー等の他の装置であってもよい。
【００６１】
Ｂ５．変形例５：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００６２】
【図１】本発明の実施例におけるプロジェクタ１００の構成を概略的に示す説明図である。
【図２】色ムラ補正部１３０の構成を概略的に示す説明図である。
【図３】焼き付き抑制補正部１４０の構成を概略的に示す説明図である。
【図４】本実施例における補正値調整処理の流れを示すフローチャートである。
【図５】本実施例における補正値調整処理の流れを示すフローチャートである。
【符号の説明】
【００６３】
１００…プロジェクタ
１１０…画像信号入力部
１２０…表示処理部
１２２…信号選択部
１２４…ＤＡ変換部
１２６…対向電極電圧出力部
１３０…色ムラ補正部
１３２…画素位置決定部
１３４…補正値選択部
１３６…色ムラ補正実行部
１４０…焼き付き抑制補正部
１４１…階調レベル決定部
１４２…補正値選択部
１４３…階調補正実行部
１４５…画素位置決定部
１４６…補正値選択部
１４７…面内補正実行部
１５０…補正値調整部
１５２…パターン信号出力部
１５４…画像解析部
１５６…補正値決定部
１６２…光源ユニット
１６４…液晶パネル
１６６…投写光学系
１７０…撮像部
１８０…ユーザ指示入力部
【図１】
2009139471.tif 000003
【図２】
2009139471.tif 000004
【図３】
2009139471.tif 000005
【図４】
2009139471.tif 000006
【図５】
2009139471.tif 000007